(57)【要約】【課題】内折りフラップに連続する係止舌片を切り込み形成した構造の有用な点を損なうことなく、蓋体の内方側でのみに係止舌片が係止できるようにし、蓋体の開け閉めが容易で蓋体を閉じたときには閉状態が維持されるようにし、外部からの侵入口となるような開口部分を形成しない。【解決手段】蓋体８の横垂れ壁部１２を構成する内側貼着フラップ２３の上端辺を段落としして、カートン本体の側面部６から側方に張出する係止舌片１５が係脱可能に係止する係止手段１６を設けた。【選択図】    図５
2005022743.tif 000002
【特許請求の範囲】
【請求項１】
上面部を開口してフィルム巻き体が収納されたカートン本体の後面部に、前記上面部を開閉可能に覆う蓋体を連接し、該蓋体が、蓋体閉時にカートン本体の前面部に重なる前垂れ壁部とカートン本体の側面部に重なる横垂れ壁部とを備え、
カートン本体の側面部の上端にフィルム巻き体収納空間側に折り倒される内折りフラップを連接し、側面部の上端を切り込んで前記内折りフラップに連続した係止舌片が内折りフラップの折り倒しにより側方に向けて張出し、
蓋体閉時の側面部の上端に対応した位置に形成された横垂れ壁部の係止手段に、前記係止舌片が係止するラップフィルム収納カートンにおいて、
前記横垂れ壁部は、前垂れ壁部に連接された内側貼着フラップと蓋体に連接された外側貼着フラップとの貼り合わせにより形成され、
横垂れ壁部の係止手段は、前記外側貼着フラップの基端側における該外側貼着フラップと前記内側貼着フラップとの段差部から形成されて、前記係止舌片が段差部からなる係止手段に係脱可能に係止することを特徴とするラップフィルム収納カートン。
【発明の詳細な説明】
【技術分野】
【０００１】
本発明はラップフィルムを収納した収納カートンに関するものである。
【背景技術】
【０００２】
従来からラップフィルムは食品を直接包み込んだり、食品を盛った皿に被せたりするなどのように簡易保存のための包装目的に広く使用されている。そして、一般家庭用途のラップフィルムは巻き芯に巻いたフィルム巻き体の形態とされ、流通や一般家庭での保管が衛生的なものとなるように細長の箱体に収められていて、有底にして上面部が開口した横長のカートン本体にフィルム巻き体を収納するとともに、そのカートン本体の上面部を開閉可能に覆う蓋体がカートン本体の後面部に連接され、蓋体のカートン本体の長手方向に沿う前端部に、蓋体閉時にカートン本体の前面部に重なる垂れ壁部を連接し、蓋体の側端部に、蓋体閉時にカートン本体の側面部に重なる垂れ壁部を連接していた形態が一般的である。
【０００３】
このラップフィルム収納カートンが未開封の状態では、上記前垂れ壁部の下端に分離可能に連接された開封片がカートン本体の前面部に剥離可能に貼り付けられていて、全体形状を横に長い略四角柱体状としている。そして、前記開封片を除去することで開封されて蓋体によってカートン本体の上面部を開け閉めできるようになる。
ところで、一旦開封したラップフィルム収納カートンでは、カートン本体の後面部と蓋体との連接部分での戻りぐせなどによって蓋体がカートン本体の上面部の位置に戻り難くなっており、不使用時に蓋体が若干持ち上がったままとなってカートン本体の上面部が適正に閉じない場合がある。
【０００４】
このようなカートン本体とカートン本体の上面部を閉じることができる蓋体とからなる収納箱において、蓋体の閉状態を適正に確保するための工夫が提案されている。
まず、箱本体の後面部に、その箱本体の上面部を開閉する蓋体を回動可能に連接し、箱本体の前面部の表面に切り起こしした舌片が、蓋体の前面部の内面に設けた凹入部に係止することでロック状態が得られるようにし、そのロックの解除は、蓋体の前面部と箱本体の前面部との間に指先を入れて、舌片と凹入部との係合を外すようにしたものがある（例えば、特許文献１参照）。
また、蓋体の横垂れ壁部に透孔を形成するとともに、カートン本体の側面部の上端部に連接した内折りフラップの折り曲げ基端側に連続するようにそのカートン本体の側面部の上端に切り込みして係止舌片を設け、蓋体を閉じたときに蓋体の横垂れ壁部の前記透孔に、前記係止舌片が係脱可能に係止するようにしたものがある（例えば、特許文献２、特許文献３参照）。
【０００５】
また、蓋体の横垂れ壁部の構成片である内側貼着フラップと外側貼着フラップとで前記外側貼着フラップの内方側に凹部を形成するとともに、カートン本体の前面部の上端に連接した案内片部の両側端それぞれを、カートン本体の側面部の上端位置より側方に張出させ、その張出した端部を前記凹部に係脱可能に係合させるようにしたものがある（例えば、特許文献４参照）。
さらに、カートン本体の側面部を構成する一つのフラップの上端に係止舌片を連接してこれを外側下方に折り倒すとともに、蓋体の横垂れ壁部の構成片である内側貼着フラップと外側貼着フラップとで前記外側貼着フラップの内方側に凹部を形成し、下方に折り倒されている係止舌片が前記凹部に位置して係止するようにしたものがある（例えば、特許文献５参照）。
【特許文献１】公開実用昭和４７−１５２６号（第１頁５行〜１２行、第１図、第２図）
【特許文献２】実公昭５２−３５２１９号公報（第１欄１９行〜２１行、第１図）
【特許文献３】実公昭５０−１８８１１号公報（第２欄１１行〜２１行、第１図）
【特許文献４】特開平０９−１４２４５９号公報（段落番号００１２、図５）
【特許文献５】特許第２８３１２８６号公報（段落番号００３２、図５、図６）
【発明の開示】
【発明が解決しようとする課題】
【０００６】
上記ラップフィルム収納カートンにおいて、カートン本体の側面部に連接された内折りフラップに連続するようにして側面部の上端に係止舌片を切り込み形成したものにあっては、フィルム巻き体の飛び出しを防ぐための内折りフラップの折り倒しによって、前記係止舌片が側方（カートン長手方向）に張出することから、カートン本体側での係止部分としては簡易な構成であり有用なものである。
なお、案内片部の両側端を側面部の上端に位置させるものでは、案内片部自体を前面部に対しての角度が９０度より小さくなるように深く折り倒す場合も多く、このように案内片部を深く折り倒すとその両側端が側方に張出し難くなるという欠点がある。また、側面部を構成する一つのフラップの上端から外方下部に係止舌片を折り倒すものでは、その係止舌片を折り倒す工程が必要となってしまうという問題がある。
【０００７】
このように内折りフラップに連続する係止舌片が側方に張出するようにした構成は有用であるが、このタイプの係止舌片を備えた上述のラップフィルム収納カートンにあっては、蓋体の横垂れ壁部に透孔を開口したものであるために、蓋体閉時に係止舌片がその透孔に進入して深く係合してしまい、透孔から係止舌片が外れ難くなって蓋体を開く操作が困難になるという問題が生じる。
さらには、フィルム巻き体収納空間と外部とがこの透孔を通して連通するため、蓋体を閉じた状態でも外部から異物などがフィルム巻き体収納空間に入り込む可能性があり、大きな問題であった。
そこで本発明は上記事情に鑑み、カートン本体の側面部の内折りフラップに連続する係止舌片を切り込み形成した構造の有用な点を損なうことなく、蓋体の内方側でのみに前記係止舌片が係止できるようにすることを課題とし、蓋体の開け閉めが容易で蓋体を閉じたときにはその閉状態が維持されるようにし、外部からの侵入口となるような開口部分を形成しないようにすることを目的とするものである。
【課題を解決するための手段】
【０００８】
本発明は上記課題を考慮してなされたもので、上面部を開口してフィルム巻き体が収納されたカートン本体の後面部に、前記上面部を開閉可能に覆う蓋体を連接し、該蓋体が、蓋体閉時にカートン本体の前面部に重なる前垂れ壁部とカートン本体の側面部に重なる横垂れ壁部とを備え、カートン本体の側面部の上端にフィルム巻き体収納空間側に折り倒される内折りフラップを連接し、側面部の上端を切り込んで前記内折りフラップに連続した係止舌片が内折りフラップの折り倒しにより側方に向けて張出し、蓋体閉時の側面部の上端に対応した位置に形成された横垂れ壁部の係止手段に、前記係止舌片が係止するラップフィルム収納カートンにおいて、前記横垂れ壁部は、前垂れ壁部に連接された内側貼着フラップと蓋体に連接された外側貼着フラップとの貼り合わせにより形成され、横垂れ壁部の係止手段は、前記外側貼着フラップの基端側における該外側貼着フラップと前記内側貼着フラップとの段差部から形成されて、前記係止舌片が段差部からなる係止手段に係脱可能に係止することを特徴とするラップフィルム収納カートンを提供して、上記課題を解消するものである。
【発明の効果】
【０００９】
本発明により、側面部を切り込んで張出した係止舌片が蓋体の横垂れ壁部の内方の係止手段に係脱可能に係止するので、その係止舌片と係止手段との係合で蓋体の閉状態が維持され、閉状態のラップフィルム収納カートンの外観を良好なものとすることが簡単に行なえる。さらに、横垂れ壁部に係止舌片の係止相手となる透孔を設けないため、外界からフィルム巻き体収納空間への異物の侵入を防止できるようになるなど、実用性に優れた効果を奏するものである。
【発明を実施するための最良の形態】
【００１０】
つぎに本発明を図１から図５に示す実施の形態に基づいて詳細に説明する。
図中１はラップフィルム収納カートンで、該ラップフィルム収納カートン１は、フィルム巻き体Ａを収納するために横長としたカートン本体２を前面部３と底面部４と後面部５と両端の側面部６とから構成して上面部７を開口したものとし、前記後面部５の上端に上面部７を開閉可能に覆う蓋体８を回動可能に連接し、さらにこの蓋体８の前端に亘って前垂れ壁部９を連接して、蓋体８が上面部７を閉じているときに前垂れ壁部９が前記前面部３に重なるようにしている。
また、ラップフィルム収納カートン１では、フィルム引き出し時にカートン本体２のフィルム巻き体収納空間１０でフィルム巻き体Ａが回転して、前面部３の上端を介してフィルム巻き体Ａからラップフィルムが引き出され、上面部７を蓋体８で閉じたときには前記前垂れ壁部９と前面部３との間にラップフィルムが位置し、前垂れ壁部９を前面部３に重ねてラップフィルムを挟んだ状態のままラップフィルム収納カートン１全体をひねるように回転操作することでラップフィルムを切断することができ、その切断のために前垂れ壁部９の下端に亘って切断刃１１が取り付けられている。
さらにラップフィルム収納カートン１には、蓋体８の側端から降りるとともに上記前垂れ壁部９の両側に連続して位置する横垂れ壁部１２があり、上面部７を閉じたときにはこの横垂れ壁部１２が側面部６に重なるものである。
前垂れ壁部９の下端には分離可能にして切断刃保護兼開封片部１３が連接されている。切断刃保護兼開封片部１３はこのラップフィルム収納カートン１が未使用の時点まで上記前面部３に分離可能に貼り付けられて切断刃１１を保護するものであり（図２参照）、この切断刃保護兼開封片部１３を取り除くことで蓋体８の開きが可能となり、切断刃１１も表出するようになる。
【００１１】
カートン本体２の側面部６の上端には内折りフラップ１４が連接されてフィルム巻き体収納空間１０側に折り倒され、フィルム巻き体Ａ自体の飛び出しを防止するようにしている。そして、この内折りフラップ１４の折り倒し基端側に連続するようにして係止舌片１５が側面部６の上端に切り込み形成され、内折りフラップ１４の折り倒しにより係止舌片１５が側方に向けて張出している。
このように本ラップフィルム収納カートン１では、カートン本体２では側面部６それぞれの上端の高さ位置で側方（カートン本体の長手方向外方）に係止舌片１５が張出していて、そして、上記蓋体８を閉じたときにこの係止舌片１５と上記横垂れ壁部１２の後述の係止手段２６との係合で、蓋体８の閉状態が維持できる。
【００１２】
図３はブランクの状態を示していて、前面部３と底面部４と後面部５と蓋体８と前垂れ壁部９とが折り罫ａを介して連接され、前垂れ壁部９にはミシン目からなる切り取り部１７を介して上述したように切断刃保護兼開封片部１３を連接している。カートン本体２の上記側面部６は、前面部３と後面部５との側端に折り罫ａを介して連接された内側貼着フラップ１８と底面部４の側端に折り罫ａを介して連接された外側貼着フラップ１９との貼り合わせにより構成され、その外側貼着フラップ１９に上記内折りフラップ１４が連接され、外側貼着フラップ１９を切り込んで上記係止舌片１５を設けている。
【００１３】
ブランクの状態で示されているように、後面部５の側端に連接された内側貼着フラップ１８には、フィルム巻き体収納空間１０に向けて内折りできる一対の第一折り込み片２０が切り込み形成されていて、一対の第一折り込み片２０が隣接して互いが離れるように内折りされるものである。また、底面部４に連接された外側貼着フラップ１９にはフィルム巻き体収納空間１０に向けて内折りできる第二折り込み片２１が、一対の第一折り込み片２０を押し開きできる位置に切り込み形成されされている。そして、この第二折り込み片２１と一方の第一折り込み片２０とは互いに係止可能な鉤形状部分を有していて、第二折り込み片２１を内折りしたとき、第一折り込み片２０それぞれが押されて開くように内折りされ、一方の第一折り込み片２０と第二折り込み片２１とが係止することで互いの内折り状態が維持されるとともに、内折りされた第二折り込み片２１にもう一方の第一折り込み片２０が当接して、やはりその内折り状態が維持されるようにしている（図４参照）。これによって側面部６には、フィルム巻き体Ａの図示しない巻き芯の端部内に突出する凸部を形成していて、フィルム巻き体Ａの飛び出しを防ぎながらフィルム巻き体Ａを回転可能に支持する。
なお、第一折り込み片２０と第二折り込み片２１との折り込みによって形成される開口は、蓋体８を閉じたときの横垂れ壁部１２に覆われる位置にあり、蓋体閉時でのこの開口からの異物侵入が防止される。
【００１４】
図３に示すように蓋体８の側端に折り罫ａを介して外側貼着フラップ２２が連接され、前垂れ壁部９の側端に折り罫ａを介し内側貼着フラップ２３が連接されていて、外側貼着フラップ２２の内方側に内側貼着フラップ２３を貼り付けることによって上記横垂れ壁部１２が形成されている。
そして、ブランクの状態において、内側貼着フラップ２３の外側貼着フラップ２２側の端辺は、前垂れ壁部９とこの内側貼着フラップ２３との連接方向に亘る途中で、外側貼着フラップ２２とは反対側（図上、上方に）に段落とししている。即ち、蓋体８の状態において、外側貼着フラップ２２に貼り付けられた内側貼着フラップ２３にあっては、前記外側貼着フラップ２２の折り倒し基端側である上端辺２４が、前垂れ壁部９との連接位置部分から内側貼着フラップ２３の端部側に亘る途中（内側貼着フラップ２３の長手方向での途中）で段落として段状に形成されている。
これによって外側貼着フラップ２２の折り倒し基端側から内側貼着フラップ２３の段落とし部２５との間が凹所として形成され、この凹所を横垂れ壁部１２の内方側に位置する上記係止手段２６としている。この係止手段２６は、蓋体閉時に側面部６の上端に対応し、上記係止舌片１５が係止手段２６に係脱可能に係止するように設けられている（図４、図５参照）。
【００１５】
蓋体８を閉じる場合、係止舌片１５が多少下方に傾いたり横垂れ壁部１２自体がカートン本体の長手方向の外方に開くなどしてその係止舌片１５が前記内側貼着フラップ２３に摺接するようになり、蓋体８がカートン本体２の上面部７に位置するときにはその蓋体８に内折りフラップ１４が押されて係止舌片１５が側方に張出した状態となり、上記係止手段２６にこの係止舌片１５が係止する。仮に紙材自体が持つ抗力が、蓋体８の折り倒し基端側などでこの蓋体８を上方に回動させようとする応力として作用したとしても、係止舌片１５を上方に大きく回動させる力とはならず、そして係止舌片１５が上方に回動し始めたとしても直ぐに内折りフラップ１４がフィルム巻き体Ａの周面に接触して係止舌片１５の回動が規制され、よって、蓋体８が自然に高く上方に持ち上がることがない。
係止舌片１５はその先端が、凹所として構成された前記係止手段２６における内側貼着フラップ２３の段落とし部２５に掛かるものであり、そして図５に示すように、その段落とし部２５は外側貼着フラップ２２の内面からフィルム巻き体収納空間１０へ紙材一枚の厚さ分だけしか突出しないが、係止舌片１５が係止するには十分な突出量であり、蓋体８の自然な戻り（開く方向への回動）を防ぐには十分である。また、フィルム巻き体Ａの外径に対するラップフィルムの巻き厚はそれほど大きいものではなく、仮に巻き量が少なくなったフィルム巻き体Ａに内折りフラップ１４が接触していたとしても、内折りフラップ１４の倒れ込み角度はそれほど変化せず、係止舌片１５から係止手段２６が自然に外れてしまうということは生じない。
なお、蓋体８の開状態時、内折りフラップ１４は一般的に折り倒し基端側で生じている紙材の抗力で若干上方に持ち上がった状態であることが多く、底面部４側に深く倒れ込んでしまうことはない。よって、ラップフィルムを引き出して外径が小さくなったフィルム巻き体Ａを収納しているときに蓋体８を閉じても、内折りフラップ１４は蓋体８の内天面に接していて、フィルム巻き体Ａの頂部に接することはない（図５参照）。
【００１６】
蓋体８を閉じる際、上述したように係止舌片１５が内側貼着フラップ２３に摺接するが、このとき内折りフラップ１４も蓋体８の内天面に当接しているため、係止舌片１５の下方への倒れ込みが規制され、この係止舌片１５によって横垂れ壁部１２それぞれが長手方向の外方に向けて僅かながら開くように変形する。そして、係止舌片１５が内側貼着フラップ２３の上端辺２４を乗り越えて係止手段２６に入ったときに、前記横垂れ壁部１２は係止舌片１５による押し広げが解除されてカートン本体２の側面部６に軽く当接して、音と振動とを小さく発するようになり、係止舌片１５が係止手段２６に係止する状態となったことが簡単に判断できる。
そして、係止舌片１５が係止手段２６に係止すれば蓋体８の自然な持ち上がりが防止され、蓋体８の閉状態を維持して不使用時の外観を整えることができる。さらに、横垂れ壁部１２自体には透孔が存在しないため、係止舌片１５の起き上がりで仮に開口が形成されたとしてもその開口もこの横垂れ壁部１２で覆われるようになり、外部からフィルム巻き体収納空間１０に異物が侵入するのを防止することができる。
【００１７】
一方、人の操作によって蓋体８が持ち上げられるように回動するときには、係止舌片１５が多少上方に向けて撓むように変形して係止手段２６から外れるようになる。上述したように、係止舌片１５は紙材一枚の厚さ分の段落とし部２５に掛かっている状態であるため、人による蓋体８の開く方向での開操作では係止舌片１５が段落とし部２５から簡単に外れ、開き操作に抵抗を生じさせるものではない。よって、このラップフィルム収納カートン１は蓋体８の開け閉めが容易に行なえるものである。
【００１８】
上記横垂れ壁部１２の内側貼着フラップ２３には、外側貼着フラップ２２から表出する摘み片２７が、折り返し基端側とは反対側に折り罫ａを介して連接されている。この摘み片２７は、上記切断刃１１を前垂れ壁部９における切断刃１１の取付部分とともに分離するときに摘み持つ部分であり、ラップフィルム収納カートン１を廃棄するときに摘み片２７を摘み持ちながら横垂れ壁部１２を裂き、そして、前垂れ壁部９に達したときに前垂れ壁部９からカートン本体２の前方へと引っ張ることで、切断刃１１とその取付部分とがともにカートン本体２から分離するように設けられており、金属材である切断刃１１が安全に取り外すことができるものである。
また、図３のブランクで示すように前面部３における切断刃保護兼開封片部１３に対応する部分の複数個所に、略楕円状の表半切れｂが入れられている。この表半切れｂに囲まれた部分にはラップフィルム収納カートン１の製函時に接着剤が塗布され、この接着剤を介して切断刃保護兼開封片部１３が貼着される。そして、開封の際に切断刃保護兼開封片部１３を捲るようにして切り取り部１７から分離するときに、前記表半切れｂで囲まれた部分の表層部分が剥離し、前面部３の広範囲に紙ムケが生じないようにしている。
【００１９】
切断刃保護兼開封片部１３は、図３のブランクで示すように切り取り部１７の一端側（図３において切り取り部１７の左側）に切り欠きがあり、この部分から分離し易くなるように図られている。そして、その切り欠きがある端部から切断刃保護兼開封片部１３を捲り上げたときに、上記表半切れｂで囲まれた領域で表層剥離が生じず、この切断刃保護兼開封片部１３の内面側で紙ムケを起こして、表半切れｂに囲まれた領域の部分に長い紙ムケ屑が貼着して残る可能性がある。そこで、切断刃保護兼開封片部１３には、表半切れｂで囲まれた領域の対応位置それぞれから捲り上げ始端側とは反対側に少し離れた位置に円弧状の切り込みｃが入れられていて、仮に表半切れｂに囲まれた領域に切断刃保護兼開封片部１３から剥離した紙ムケ屑が貼着して残ったとしても、その紙ムケ屑が長くならないようにして前面部３の美観、強いてはカートン本体２の美観が損なわれないようにしている。
【図面の簡単な説明】
【００２０】
【図１】本発明に係るラップフィルム収納カートンの一例を蓋体の開状態で示す説明図である。
【図２】一例の未開封状態を示す説明図である。
【図３】一例をブランクで示す説明図である。
【図４】第一折り込み片と第二折り込み片とが係止した状態を示す説明図である。
【図５】係止片の係止状態を示す説明図である。
【符号の説明】
【００２１】
１…ラップフィルム収納カートン
２…カートン本体
３…前面部
４…底面部
５…後面部
６…側面部
７…上面部
８…蓋体
９…前垂れ壁部
１０…フィルム巻き体収納空間
１２…横垂れ壁部
１４…内折りフラップ
１５…係止舌片
１７…切り取り部
２２…外側貼着フラップ
２３…内側貼着フラップ
２５…段落とし部
２６…係止手段
【図１】
2005022743.tif 000003
【図２】
2005022743.tif 000004
【図３】
2005022743.tif 000005
【図４】
2005022743.tif 000006
【図５】
2005022743.tif 000007